【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
ユーザが利用可能な複数のサービスを有する通信装置であって、
前記複数のサービスの中からユーザが所望のサービスを選択する選択画面を表示する表示手段と、
ダイレクト無線通信機能を有する無線通信手段と、
前記ダイレクト無線通信機能を実行するためのダイレクト無線通信モードで前記通信装置が動作しているか否かを判定する判定手段と、
前記ダイレクト無線通信モードで前記通信装置が動作していると前記判定手段によって判定された場合に、前記ダイレクト無線通信モードに対応していないサービスをユーザが選択できない状態で前記選択画面を表示するように前記表示手段を制御する制御手段とを備えることを特徴とする通信装置。
【請求項２】
前記ダイレクト無線通信モードで前記通信装置が動作していると前記判定手段によって判定された場合に、前記制御手段は、前記ダイレクト無線通信モードに対応していないサービスを前記選択画面において非表示にするように前記表示手段を制御することを特徴とする請求項１に記載の通信装置。
【請求項３】
前記ダイレクト無線通信モードで前記通信装置が動作する場合、前記通信装置は、外部のサーバと通信することができず、
前記ダイレクト無線通信モードに対応していないサービスは、前記サーバと通信する必要があるサービスであることを特徴とする請求項１又は２に記載の通信装置。
【請求項４】
前記ダイレクト無線通信機能は、前記無線通信手段がＷｉ−Ｆｉ Ｄｉｒｅｃｔによる無線通信を実行する機能であることを特徴とする請求項１乃至３のいずれか１項に記載の通信装置。
【請求項５】
前記通信装置は、シートに印刷処理を実行する印刷装置であることを特徴とする請求項１乃至４のいずれか１項に記載の通信装置。
【請求項６】
コピー機能と、スキャナで原稿を読み取ることで得られる画像データを外部装置に送信する送信機能とを備える印刷装置であって、
前記コピー機能と前記送信機能とを含む複数の機能の中からユーザが所望の機能を選択する選択画面を表示する表示手段と、
ダイレクト無線通信機能を有する無線通信手段と、
前記ダイレクト無線通信機能を実行するためのダイレクト無線通信モードで前記印刷装置が動作しているか否かを判定する判定手段と、
前記ダイレクト無線通信モードで前記印刷装置が動作していると前記判定手段によって判定された場合に、前記コピー機能をユーザが選択可能であり、前記送信機能をユーザが選択できない状態で前記選択画面を表示するように前記表示手段を制御する制御手段とを備えることを特徴とする印刷装置。
【請求項７】
前記ダイレクト無線通信モードで前記印刷装置が動作していると前記判定手段によって判定された場合に、前記制御手段は、前記送信機能を前記選択画面において非表示にするように前記表示手段を制御することを特徴とする請求項６に記載の印刷装置。
【請求項８】
前記ダイレクト無線通信機能は、前記無線通信手段がＷｉ−Ｆｉ Ｄｉｒｅｃｔによる無線通信を実行する機能であることを特徴とする請求項６又は７に記載の印刷装置。
【請求項９】
ダイレクト無線通信機能を有する無線通信手段を備え、ユーザが利用可能な複数のサービスを有する通信装置の制御方法であって、
表示手段が、前記複数のサービスの中からユーザが所望のサービスを選択する選択画面を表示する表示工程と、
判定手段が、前記ダイレクト無線通信機能を実行するためのダイレクト無線通信モードで前記通信装置が動作しているか否かを判定する判定工程と、
制御手段が、前記ダイレクト無線通信モードで前記通信装置が動作していると前記判定工程で判定された場合に、前記ダイレクト無線通信モードに対応していないサービスをユーザが選択できない状態で前記選択画面を表示するように前記表示手段を制御する制御工程と
を実行することを特徴とする通信装置の制御方法。
【請求項１０】
ダイレクト無線通信機能を有する無線通信手段を備え、ユーザが利用可能な複数のサービスを有する通信装置の制御方法における各工程をコンピュータに実行させるためのプログラムであって、前記方法は、
表示手段が、前記複数のサービスの中からユーザが所望のサービスを選択する選択画面を表示する表示工程と、
判定手段が、前記ダイレクト無線通信機能を実行するためのダイレクト無線通信モードで前記通信装置が動作しているか否かを判定する判定工程と、
制御手段が、前記ダイレクト無線通信モードで前記通信装置が動作していると前記判定工程で判定された場合に、前記ダイレクト無線通信モードに対応していないサービスをユーザが選択できない状態で前記選択画面を表示するように前記表示手段を制御する制御工程と
を実行することを特徴とするプログラム。
【請求項１１】
ダイレクト無線通信機能を有する無線通信手段を備え、コピー機能と、スキャナで原稿を読み取ることで得られる画像データを外部装置に送信する送信機能とを備える印刷装置の制御方法であって、
表示手段が、前記コピー機能と前記送信機能とを含む複数の機能の中からユーザが所望の機能を選択する選択画面を表示する表示工程と、
判定手段が、前記ダイレクト無線通信機能を実行するためのダイレクト無線通信モードで前記印刷装置が動作しているか否かを判定する判定工程と、
制御手段が、前記ダイレクト無線通信モードで前記印刷装置が動作していると前記判定工程で判定された場合に、前記コピー機能をユーザが選択可能であり、前記送信機能をユーザが選択できない状態で前記選択画面を表示するように前記表示手段を制御する制御工程と
を実行することを特徴とする印刷装置の制御方法。
【請求項１２】
ダイレクト無線通信機能を有する無線通信手段を備え、コピー機能と、スキャナで原稿を読み取ることで得られる画像データを外部装置に送信する送信機能とを備える印刷装置の制御方法における各工程をコンピュータに実行させるためのプログラムであって、前記方法は、
表示手段が、前記コピー機能と前記送信機能とを含む複数の機能の中からユーザが所望の機能を選択する選択画面を表示する表示工程と、
判定手段が、前記ダイレクト無線通信機能を実行するためのダイレクト無線通信モードで前記印刷装置が動作しているか否かを判定する判定工程と、
制御手段が、前記ダイレクト無線通信モードで前記印刷装置が動作していると前記判定工程で判定された場合に、前記コピー機能をユーザが選択可能であり、前記送信機能をユーザが選択できない状態で前記選択画面を表示するように前記表示手段を制御する制御工程と
を実行することを特徴とするプログラム。
【手続補正２】
【補正対象書類名】明細書
【補正対象項目名】発明の名称
【補正方法】変更
【補正の内容】
【発明の名称】通信装置、印刷装置、それらの制御方法、及びプログラム
【手続補正３】
【補正対象書類名】明細書
【補正対象項目名】０００１
【補正方法】変更
【補正の内容】
【０００１】
本発明は、通信装置、印刷装置、それらの制御方法、及びプログラムに関するものである。
【手続補正４】
【補正対象書類名】明細書
【補正対象項目名】０００９
【補正方法】変更
【補正の内容】
【０００９】
本発明は、ユーザが利用可能な複数のサービスを有する通信装置であって、前記複数のサービスの中からユーザが所望のサービスを選択する選択画面を表示する表示手段と、ダイレクト無線通信機能を有する無線通信手段と、前記ダイレクト無線通信機能を実行するためのダイレクト無線通信モードで前記通信装置が動作しているか否かを判定する判定手段と、前記ダイレクト無線通信モードで前記通信装置が動作していると前記判定手段によって判定された場合に、前記ダイレクト無線通信モードに対応していないサービスをユーザが選択できない状態で前記選択画面を表示するように前記表示手段を制御する制御手段とを備えることを特徴とする。また、本発明は、コピー機能と、スキャナで原稿を読み取ることで得られる画像データを外部装置に送信する送信機能とを備える印刷装置であって、前記コピー機能と前記送信機能とを含む複数の機能の中からユーザが所望の機能を選択する選択画面を表示する表示手段と、ダイレクト無線通信機能を有する無線通信手段と、前記ダイレクト無線通信機能を実行するためのダイレクト無線通信モードで前記印刷装置が動作しているか否かを判定する判定手段と、前記ダイレクト無線通信モードで前記印刷装置が動作していると前記判定手段によって判定された場合に、前記コピー機能をユーザが選択可能であり、前記送信機能をユーザが選択できない状態で前記選択画面を表示するように前記表示手段を制御する制御手段とを備えることを特徴とする。